(57)【要約】【課題】  ＵＳＢバス電源とＡＣアダプタ電源とを充電用電源として選択可能な充電システムを簡単且つ高効率に構成する。【解決手段】  充電器２側にＵＳＢバス電源により充電を行う場合に電流制御を行う定電流制御回路１６を配置し、ＢＨＴ３側に、ＡＣアダプタ電源により充電を行う場合に電流制御を行う定電流制御部６を配置する。充電器２のＣＰＵ１８は、ＡＣアダプタ１２，ＵＳＢバス１３の双方が充電器２に接続されている場合は、ＡＣアダプタ電源を優先して給電点１５に供給させる。また、双方の電源を給電点１５に供給するための電源スイッチ回路１４，１７を、２つのＰチャネルＦＥＴを直列接続して構成する。【選択図】  図１
2006296126.tif 000002
【特許請求の範囲】
【請求項１】
外部の装置が備えるＵＳＢバスから供給されるＵＳＢバス電源と、ＡＣアダプタから供給されるＡＣアダプタ電源とを充電用電源として選択可能な充電器と、
この充電器を介して充電される二次電池を備えた携帯情報端末機とで構成される充電システムにおいて、
前記充電器は、
前記ＵＳＢバス電源と前記ＡＣアダプタ電源との何れから電源が供給されているのかを検出する電力検出手段と、
この電力検出手段の検出結果に基づいて、前記二次電池の充電に用いる充電用電源を選択する選択信号を出力する電源選択手段と、
この電源選択手段が出力した選択信号によって選択された充電用電源の電力を、前記二次電池に供給するようにスイッチ操作を行うスイッチ手段と、
前記ＵＳＢバス電源から供給される充電電流が、第１制限値以内となるように制御する第１充電制御手段とを備え、
前記携帯情報端末機は、前記充電器から供給される充電電流が、前記第１制限値より大きい第２制限値以内に収まるように制御する第２充電制御手段を備えることを特徴とする充電システム。
【請求項２】
前記スイッチ手段は、前記ＵＳＢバス電源の供給路に配置される第１スイッチ回路と、前記ＡＣアダプタ電源の供給路に配置される第２スイッチ回路とで構成されることを特徴とする請求項１記載の充電システム。
【請求項３】
前記充電器は、前記ＵＳＢバスに接続されるＵＳＢデバイスを備え、前記ＵＳＢデバイスがＵＳＢインターフェイスを介して外部との通信を行う場合、当該ＵＳＢデバイスのステートが「サスペンド」に移行したことを検出すると、前記ＵＳＢバス電源からの充電を停止する充電停止手段を備えることを特徴とする請求項１又は２記載の充電システム。
【請求項４】
前記携帯情報端末機及び前記充電器は、空中伝搬信号を介して互いに通信するための通信手段を備え、
前記充電器は、前記通信手段を介して前記携帯情報端末機との間で行なう通信と、前記ＵＳＢデバイスを介して外部との間で行う通信とを相互に変換するための通信インターフェイス手段を備えることを特徴とする請求項３記載の充電システム。
【請求項５】
請求項１乃至４の何れかに記載の充電システムに使用されることを特徴とする充電器。
【請求項６】
請求項１乃至４の何れかに記載の充電システムに使用されることを特徴とする携帯情報端末機。
【発明の詳細な説明】
【技術分野】
【０００１】
本発明は、ＵＳＢ（Universal Serial Bus）バスを介して供給されるＵＳＢバス電源とＡＣアダプタより供給されるＡＣアダプタ電源とを充電用電源として選択可能な充電器と、この充電器を介して充電される二次電池を備えた携帯情報端末機とで構成される充電システムに関する。
【背景技術】
【０００２】
例えば、特許文献１には、ＵＳＢバスを介して供給されるＵＳＢバス電源とＡＣアダプタより供給されるＡＣアダプタ電源とを充電用電源として選択可能に構成されるデジタルカメラのクレードル装置（充電器）が開示されている。即ち、クレードル装置は、デジタルカメラの画像データをパーソナルコンピュータなどのホストに送信するためにＵＳＢインターフェイスを備えているので、ＵＳＢバスも併用して充電を行うことを可能としている。
斯様に構成される充電器には、以下のようなメリットがある。即ち、ＡＣアダプタを使用すれば、ＵＳＢバスを使用する場合よりも大きな電流で充電することができるので、充電時間が短かくなる。また、ＵＳＢデバイスのステートが「サスペンド」になることでＵＳＢバス側より供給可能な電流が制限される状態になっても、その影響を受けることなく充電を行える。そして、ＡＣコンセントがあればどこでも充電を行うことができる。
【０００３】
一方、ＵＳＢバス電源を使用して充電を行えば、充電器側についてはＡＣアダプタを用意する必要がないので、コストを削減することができる。従って、ユーザは、どちらのメリットを重視するかによって充電ソースを選択できる。
また、従来、上記構成の充電器は充電電流を制御する回路を備えており、その充電器によって充電される二次電池を備えた携帯情報端末機側では、充電に関してはリチウムイオン電池を対象とする場合に定電圧制御を行ったり、二次電池の異常検出を行なうことが一般的である。即ち、携帯情報端末機側で充電電流制御を行うには、充電用の電源がＵＳＢバス電源であるのか、ＡＣアダプタ電源であるのかを判別する必要があり、システム構成が複雑になってしまうからである。
【特許文献１】特開２００３−１１０８９号公報
【発明の開示】
【発明が解決しようとする課題】
【０００４】
しかしながら、上記のような充電システムでは、充電電流制御を一括して充電器側で行っているため、携帯情報端末機側に供給される充電用の電源には電圧降下が生じてしまう。従って、ＡＣアダプタについては、電源電圧に上記電圧降下分のマージンを持たせてより高めに設定する必要があった。
本発明は上記事情に鑑みてなされたものであり、ＵＳＢバス電源とＡＣアダプタ電源とを充電用電源として選択可能な充電システムを、簡単な構成でかつ高効率に構成することにある。
【課題を解決するための手段】
【０００５】
請求項１記載の充電システムによれば、充電器において、電力検出手段がＵＳＢバス電源とＡＣアダプタ電源との何れから電源が供給されているのかを検出すると、電源選択手段は、その検出結果に基づいて、携帯情報端末機が備えている二次電池の充電に用いる充電用電源を選択する選択信号を出力する。すると、スイッチ手段は、その選択信号によって選択された充電用電源の電力を、二次電池に供給するようにスイッチ操作を行う。
【０００６】
そして、充電器側の第１充電制御手段は、ＵＳＢバス電源から供給される充電電流が第１制限値以内となるように制御し、携帯情報端末機側の第２充電制御手段は、充電器から供給される充電電流が、第１制限値より大きい第２制限値以内に収まるように制御する。
即ち、ＵＳＢバス電源によって充電を行う場合の充電制御は充電器側で行われる。そして、携帯情報端末機側では、充電用の電源が何れであるかを判別して制御を切り替える必要が無く、単に充電器より供給される充電電流を第２制限値（＞第１制限値）以内とするように制御すれば良い。従って、充電システムの構成を簡単にすることができる。
【０００７】
請求項２記載の充電システムによれば、スイッチ手段を、ＵＳＢバス電源の供給路に配置される第１スイッチ回路と、ＡＣアダプタ電源の供給路に配置される第２スイッチ回路とで構成する。従って、双方の電源を、夫々のスイッチ回路を開閉動作させることで独立に断続することができる。
【０００８】
請求項３記載の充電システムによれば、充電器は、ＵＳＢデバイスがＵＳＢインターフェイスを介して外部との通信を行う場合、ＵＳＢデバイスのステートが「サスペンド」に移行したことを検出すると、充電停止手段によってＵＳＢバス電源からの充電を停止する。即ち、ＵＳＢデバイスが「サスペンド」に移行した場合は、供給可能なＵＳＢバス電源電流は５００μＡ以下に制限されてしまう。従って、その場合には充電を停止することで、電流供給が不十分な状態で充電が行われることを回避できる。
【０００９】
請求項４記載の充電システムによれば、携帯情報端末機及び充電器に、空中伝搬信号を介して互いに通信するための通信手段を備え、充電器は、その通信手段を介して携帯情報端末機との間で行なう通信と、ＵＳＢデバイスを介して外部との間で行う通信とを相互に変換するための通信インターフェイス手段を備える。斯様に構成すれば、携帯情報端末機は、例えば自身が保持しているデータを、充電器を介して外部のホストなどに送信したり（アップロード）、或いは、外部のホストが保持しているデータを充電器を介してダウンロードすることなどが可能となる。
【発明を実施するための最良の形態】
【００１０】
（第１実施例）
以下、本発明をバーコードハンディターミナルに適用した場合の第１実施例について図１乃至図４を参照して説明する。図１は、充電システムの電気的構成を示す機能ブロック図である。充電システム１は、充電器２と、携帯情報端末機であるバーコードハンディターミナル（ＢＨＴ）３とで構成される。ＢＨＴ３は、バーコードや例えばＱＲコード（登録商標）などの二次元コードを光学的に読取り、デコードするものである。尚、その読み取りを行うための構成については周知であるから図示を省略する。
【００１１】
ＢＨＴ３は、例えばリチウムイオン電池などの二次電池４を内蔵しており、その二次電池４を充電器２を介して充電するための充電制御回路５を備えている。充電制御回路（第２充電制御手段）５は、定電流制御部６，定電圧制御部７，温度検知部８，異常検出部９からなり、定電流制御部６及び定電圧制御部７は、二次電池４に充電が行われる場合の充電電流及び充電電圧が夫々一定（例えば、電流は１０００ｍＡ（第２制限値），電圧は４．２Ｖ）となるように制御する。また、温度検知部８，異常検出部９は、充電時において二次電池４の温度が上昇し過ぎたり、また充電電圧や電流が異常な値を示したことを検出して、ＣＰＵ（及び記憶装置）１０に出力する。
【００１２】
ＣＰＵ１０は、例えばＲＯＭ，フラッシュＲＯＭ，ＲＡＭ等で構成される記憶装置に記憶されている制御プログラムに基づいて、ＢＨＴ３がバーコード等を読取る場合に各部を制御するものである。そして、ＢＨＴ３が読取ってデコードしたデータは、ＣＰＵ１０が例えばＩｒＤＡなどの光通信インターフェイス（Ｉ／Ｆ，通信手段）１１を介すことで外部に送信可能となっている。
【００１３】
充電器２は、ＢＨＴ３の置き台として構成されており、ＢＨＴ３が所定の位置におかれた状態で互いに外部に露出している電極（図示せず）同士が電気的に接続されることで、ＢＨＴ３に内蔵される二次電池４が充電可能な状態となる。そして、充電器２には、ＡＣアダプタ１２を介して商用交流電源に接続されると共に、ＵＳＢバス１３を介して外部の図示しないＵＳＢホスト（例えばパーソナルコンピュータなど）に接続されるようになっている。
【００１４】
ＡＣアダプタ１２は、１００Ｖの商用交流電源から例えば５Ｖの直流電源を生成して充電器２に供給する。また、ＵＳＢバス１３は、ホスト側よりＶBUS，ＧＮＤを介して５Ｖ（標準値）電源が供給可能となっている。そして、充電器２は、これら２つの電源の何れか一方を充電用電源として選択し、ＢＨＴ３側に供給する。即ち、ＡＣアダプタ１２からの電源は、アダプタ側電源スイッチ回路１４（ＳＷ１，第２スイッチ回路，スイッチ手段）を介して給電点１５に供給され、ＵＳＢバス１３からの電源（ＶBUS，ＧＮＤ）は、定電流制御回路（第２充電制御手段）１６及びＵＳＢ側電源スイッチ回路１７（ＳＷ２，第１スイッチ回路，スイッチ手段，充電停止手段）を介して給電点１５に供給されている。そして、２つの電源スイッチ回路１４，１７の開閉は、ＣＰＵ（及び記憶装置）１８が出力する開閉制御信号（選択信号）によって制御される。
【００１５】
ＣＰＵ（電力検出手段，電源選択手段，充電停止手段）１８は、ＡＣアダプタ電源とＵＳＢバス電源との供給状態を検出可能となっており、それらの供給状態に応じて電源スイッチ回路１４，１７を開閉制御する。また、ＣＰＵ１８は、ソフトウエアによって構成される通信インターフェイス部（通信インターフェイス手段）１９を備えている。この通信インターフェイス部１９は、ＣＰＵ１８が光通信インターフェイス（通信手段）２０を介してＢＨＴ３との間で行う通信と、ＵＳＢインターフェイス（ＵＳＢデバイス）２１及びＵＳＢバス１３を介して他の外部との間で行う通信とのプロトコルを相互に変換して仲介する機能をなす。
また、ＣＰＵ１８は、ＵＳＢインターフェイス２１がＵＳＢバス１３（Ｄ＋，Ｄ−）を介して行う外部との通信が所定期間行われない状態となり、ＵＳＢデバイスとしてのステートが「サスペンド」になった場合、その状態をＵＳＢインターフェイス２１側からの割り込みなどにより認識できるようになっている。
【００１６】
図２は、電源スイッチ回路１４，１７の具体的な回路構成（両者の構成は共通）を示すものである。電源スイッチ回路１４，１７は、２つのＰチャネルＭＯＳＦＥＴ（同一導電型）２２，２３を、互いのソースが共通となるように直列接続して構成され、ＦＥＴ２２のドレインが電源側，ＦＥＴ２３のドレインが給電点１５側となっている。従って、ＦＥＴ２２，２３夫々が有している寄生ダイオード（逆流防止回路素子）２２Ｄ，２３Ｄは、前者が電源側から見て順方向，後者が逆方向となるようにドレイン−ソース間に接続されている。
また、ＦＥＴ２２，２３の共通接続点であるソースは、抵抗２４及び２５，並びにＮＰＮトランジスタ２６のコレクタ−エミッタを介してグランドに接続されており、抵抗２４及び２５の共通接続点は、ＦＥＴ２２，２３のゲートに接続されている。そして、トランジスタ２６のベースは、ＣＰＵ１８の出力ポートに接続されている。従って、ＣＰＵ１８がトランジスタ２６のベース電位をハイレベルにすれば、トランジスタ２６がＯＮすることでＦＥＴ２２，２３のゲート電位が低下して双方ともＯＮするので、電源が給電点１５に供給されるようになる。
【００１７】
以上のように構成される電源スイッチ回路１４，１７によれば、電源を給電点１５に供給する場合には、ＦＥＴ２２，２３がＯＮして寄生ダイオード２２Ｄ，２３Ｄは何れも短絡されるため、これらによる電圧降下は生じない。また、電源を給電点１５に供給しない場合はＦＥＴ２２，２３がＯＦＦとなり、寄生ダイオード２２Ｄ，２３Ｄが互いに逆方向であるから、給電点１５側からの電流が電源側に逆流することは阻止されるようになっている。
【００１８】
図３は、定電流制御回路１６の詳細な電気的構成を示すものである。この定電流制御回路１６は基本的に一般的なリニア制御方式として構成されているので概略的に説明する。入力側に配置されているコンデンサ２７（容量１μＦ）によりＵＳＢバス電源を受け、シリーズレギュレータや抵抗で構成される基準電圧生成部２８によりオペアンプ２９の非反転入力端子に基準電圧を与える。オペアンプ２９の反転入力端子は、電源線に挿入されているセンス抵抗３０及びＰチャネルＭＯＳＦＥＴ３１の共通接続点に抵抗３２を介して接続されており、オペアンプ２９は、２つの入力端子の電位差に応じてＦＥＴ３１のゲートにゲート信号を出力することで、ＦＥＴ３１をリニア制御する。
【００１９】
ＦＥＴ３１のドレインは、電源スイッチ回路１７の入力側に接続されていると共に、出力側のコンデンサ３３（容量１μＦ）にも接続されている。また、ＦＥＴ３１のドレインには、端子ショート保護回路３４が接続されている。端子ショート保護回路３４は、オペアンプ３５などで構成され、定電流制御回路１６の出力側電圧が例えば２Ｖ以下になると、電源線と基準電圧線との間に接続されているＰＮＰトランジスタ３６をＯＮすることでＦＥＴ３１をＯＦＦさせるものである。斯様に構成される定電流制御回路１６は、充電電流を例えば５００ｍＡ（第１制限値）以内となるように制御する。
尚、ＢＨＴ３の内部に配置されている定電流制御部５も、基本的には定電流制御回路１６と同様な構成であるが、電流制御値が上述したように異なる値に設定されている。
【００２０】
次に、本実施例の作用について図４も参照して説明する。図４は、充電器２側のＣＰＵ１８によって行われる制御内容を示すフローチャートである。ＣＰＵ１８は、電源が投入されて起動すると（スタート）、先ず２つの電源スイッチ回路１４，１７を何れもＯＦＦにする（ステップＳ１）。それから、ＡＣアダプタ１２が充電器２に接続されているか否かを判断し（ステップＳ２）、接続されていれば（「ＹＥＳ」）電源スイッチ回路１４側をＯＮにする（ステップＳ３）。すると、給電点１５には、ＡＣアダプタ電源が供給されるようになる。
【００２１】
この時、充電器２にＢＨＴ３がセットされていれば充電電流がＢＨＴ３に供給され、充電制御回路５の定電流制御部６及び定電圧制御部７が充電制御を行い、二次電池４に対する充電が行われる。続いて、充電器２のＣＰＵ１８は、光通信インターフェイス２０、又はＵＳＢインターフェイス２１の何れかからの通信要求があるか否かを判断し（ステップＳ４）、通信要求があれば（「ＹＥＳ」）通信インターフェイス部１９を介してＩｒＤＡ／ＵＳＢ間のプロトコル変換を行い、両者間の通信を仲介する（ステップＳ５）。それから、ステップＳ２に戻る。
【００２２】
一方、ステップＳ２において、ＡＣアダプタ１２が充電器２に接続されていない場合（「ＮＯ」）、ＣＰＵ１８は、ＵＳＢバス１３が接続されているか否かを判断する（ステップＳ６）。ＵＳＢバス１３が接続されていれば（「ＹＥＳ」）、ＣＰＵ１８は、その時点におけるＵＳＢインターフェイス２１のデバイスステートが「サスペンド」であるか否かを判断する（ステップＳ７）。そして、ステートが「サスペンド」でなければ（「ＮＯ」）電源スイッチ回路１７をＯＮしてから（ステップＳ８）ステップＳ４に移行し、「サスペンド」であれば（「ＹＥＳ」）そのままステップＳ４に移行する。
即ち、ＵＳＢインターフェイス２１のステートが「サスペンド」である場合、ＵＳＢバス１３を介して供給可能となる電源電流は５００μＡ以下に制限される。斯様な状態では、二次電池４の充電を十分に行うことができないため充電は停止させる（充電停止手段）。
【００２３】
電源スイッチ回路１７がＯＮされると、充電器２の定電流制御回路１６において５００ｍＡに制御された充電電流がＢＨＴ３側に供給される。この時、ＢＨＴ３側の定電流制御部６では、電流制御の制限値として設定されている１０００ｍＡ未満の電流が供給されることになるので、実質的に充電制御が行われることはない。
尚、ステップＳ６において、ＵＳＢバス１３が充電器２に接続されていない場合は（「ＮＯ」）ステップＳ２に戻るようにしているが、ＣＰＵ１８自体がＡＣアダプタ電源，ＵＳＢバス電源の何れかにより電源供給を受ける構成であるとすれば、斯様な処理は生じ得ない。但し、充電器２が別途電池（一次，二次の何れか）などを備えていれば、斯様な処理は生じ得る。
【００２４】
ここで、従来の充電システムでは、ＵＳＢバス電源によって充電を行う場合についても電圧降下が問題となっていた。電圧降下の要因としては以下のようなものが挙げられる。
ａ）一般に、２つの電源を共通の電源線に供給する場合は、一方が他方に逆流するのを防止するため、２つのダイオードをＯＲ接続するように構成される。従って、ダイオードの順方向電圧ＶF分の電圧降下が発生する。
ｂ）ＵＳＢデバイスが「サスペンド」に移行した場合は、充電電流を５００μＡ以下に制限するため、電流制限用のスイッチング素子（例えばＦＥＴなど）を電源線に直列に挿入する必要がある。従って、スイッチング素子の端子間（ＯＮ電圧）で電圧降下が発生する。
ｃ）充電器側で電流制御するため電流検出用の抵抗が必要であり、当該抵抗において電圧降下が発生する。
ｄ）携帯情報端末機側で、充電ＯＮ／ＯＦＦ用にスイッチ素子が必要であり、スイッチ素子の端子間で電圧降下が発生する。
【００２５】
ここで、一数値例を挙げると、ＵＳＢバスの電源電圧が４．５Ｖ（ｍｉｎ），ダイオードの順方向電圧が０．３Ｖ，ＦＥＴのＯＮ電圧，検出用抵抗の電圧降下が何れも０．０５Ｖであるとすれば、充電電圧ＶCは、
ＶC＝４．５−０．３−０．０５×３＝４．０５［Ｖ］
となる。従って、リチウムイオン電池の充電に必要な電圧４．２Ｖが得られなくなってしまい、満充電状態にできない場合がある。
【００２６】
斯様な問題に対処するには、充電器側にＤＣ／ＤＣコンバータを配置して昇圧を行うことが考えられるが、ＤＣ／ＤＣコンバータの効率の問題から供給可能な充電電流量に制限がある。また、ＤＣ／ＤＣコンバータは高コストであり、回路基板上の実装面積も多く必要とする。更に、ＤＣ／ＤＣコンバータには容量が大きい（例えば、１００μ〜４７０μＦ程度）コンデンサを使用するのでＵＳＢ規格における突入電流制限が必要となる。従って、突入電流を制限するための回路が別途必要となる。
これに対して、本実施例では、充電器２におけるＵＳＢバス電源の電圧降下も極力抑制することができるから、ＵＳＢ電源電圧を昇圧するためのＤＣ／ＤＣコンバータなどは不要となり、上記の問題も解消されている。
【００２７】
以上のように本実施例によれば、充電器２側にＵＳＢバス電源により充電を行う場合に電流制御（５００ｍＡ）を行う定電流制御回路１６を配置し、ＢＨＴ３側に、ＡＣアダプタ電源により充電を行う場合に電流制御（１０００ｍＡ）を行う定電流制御部６を配置した。従って、ＢＨＴ３側では、充電用の電源が何れであるかを判別して制御を切り替える必要が無く、ＡＣアダプタ電源によって充電が行われている場合の充電電流を１０００ｍＡ以内とするように制御すれば良いので、充電システム１の構成を簡単にできる。
【００２８】
そして、ＢＨＴ３に供給されるＡＣアダプタ電源の電圧降下を抑制できるので、電源電圧を５Ｖに設定すれば、充電制御回路５における電圧降下が小さくなって発熱を抑制することができ、ＢＨＴ３側の定電流制御回路１６と同様な安価で且つ小型であるリニア方式の電流制御ＩＣを使用することができる。
また、充電器２のＣＰＵ１８は、ＡＣアダプタ１２，ＵＳＢバス１３の双方が充電器２に接続されている場合は、ＡＣアダプタ電源を優先して給電点１５に供給させる。また、双方の電源を給電点１５に供給するための電源スイッチ回路１４，１７を、２つのＰチャネルＦＥＴ２２，２３を直列に接続して構成した。
【００２９】
従って、電源を給電点１５に供給する場合は、逆流防止用の寄生ダイオード２２Ｄ，２３Ｄは何れも短絡されるので、それらにより電圧降下が発生することを回避できる。特に、ＵＳＢバス電源の最低電圧は４．５Ｖであるが、ＦＥＴのＯＮ電圧，検出用抵抗の電圧降下が何れも０．０５Ｖであれば、充電電圧ＶCは、
ＶC＝４．５−０．０５×３＝４．３５［Ｖ］
となるから、リチウムイオン電池の充電に必要な電圧４．２Ｖ以上の電圧を確保することができる。従って、ＵＳＢバス電源の電圧低下を抑制し、ＤＣ／ＤＣコンバータなどにより昇圧を行なわずとも、ＢＨＴ３が備える二次電池４を確実に充電することができる。
【００３０】
そして、直列に接続された２つのＦＥＴ２２，２３を同時にＯＮ，ＯＦＦすれば、電源の供給を完全に断続することができるので、例えば給電点１５側において短絡故障が発生した場合でも、２つのＦＥＴ２２，２３が共にＯＦＦしていれば供給路は完全に遮断されるため、電源側を保護することができる。
加えて、リニア方式であるＢＨＴ３側の定電流制御回路１６は、基準電圧生成部２８，オペアンプ２９及び３５，センス抵抗３０，ＦＥＴ３１などで構成されており、効率良く
ＵＳＢバス電源の規定値上限（５００ｍＡ）までの充電電流を供給可能である。そして、入力側のコンデンサ２７の容量は高々１μＦであるから、ＵＳＢ規格における突入電流制限値を容易にクリアすることができる。
【００３１】
更に、充電器２のＣＰＵ１８は、ＵＳＢインターフェイス２１が外部との通信を行う場合に、デバイスステートが「サスペンド」に移行したことを検出すると、電源スイッチ回路１７をＯＦＦしてＵＳＢバス電源からの充電を停止するので、電流供給が不十分な状態で充電が行われることを回避できる。
そして、ＢＨＴ３，充電器２に、赤外線（空中伝搬信号）を介して互いに通信するための光通信インターフェイス１１，２０を夫々備え、充電器２は、そのＩｒＤＡによりＢＨＴ３との間で行なう通信と、ＵＳＢバス１２を介して外部との間で行う通信とを相互にプロトコル変換する通信インターフェイス部１９を備えたので、ＢＨＴ３は、例えば自身が保持しているデータを、充電器２を介して外部のホストなどに送信したり（アップロード）、或いは、外部のホストが保持しているデータを充電器２を介してダウンロードすることなどが可能となる。
【００３２】
（第２〜第５実施例）
図５乃至図８は本発明の第２〜第５実施例であり、第１実施例と同一部分には同一符号を付して説明を省略し、以下異なる部分についてのみ説明する。尚、第２〜第５実施例は、何れも電源スイッチ回路のバリエーションを示すものである。
【００３３】
図５に示す第２実施例では、ＡＣアダプタ１２側は、電源スイッチ回路１４に替えてダイオード（第１逆流防止回路素子）４１のみを配置したものである。斯様に構成すれば、充電器２にＡＣアダプタ１２及びＵＳＢバス１３の双方が接続されている場合は、電源スイッチ回路１７をＯＦＦすれば、ＡＣアダプタ電源のみを給電点１５に供給することができる。そして、充電器２にＵＳＢバス１３だけが接続されている場合は、電源スイッチ回路１７をＯＮすれば、ＵＳＢバス電源を給電点１５に供給することができる。
【００３４】
図６に示す第３実施例では、ＡＣアダプタ１２側は第２実施例と同様にダイオード４１のみが配置されており、ＵＳＢバス１３側は、電源スイッチ回路１７よりＦＥＴ２３を削除してＦＥＴ２２のみとした構成である。斯様な構成の場合は、
（ＡＣアダプタ電源電圧）＞（ＵＳＢバス電源電圧）
という前提条件が必要である。即ち、充電器２にＡＣアダプタ１２及びＵＳＢバス１３の双方が接続されている場合は、ＦＥＴ２２をＯＦＦすれば、ＡＣアダプタ電源のみを給電点１５に供給することができる。また、ＵＳＢバス電源側への逆流は、寄生ダイオード２２Ｄによって阻止される。そして、充電器２にＵＳＢバス１３だけが接続されている場合は、ＦＥＴ２２をＯＮすれば、寄生ダイオード２２Ｄを短絡して電圧降下を回避することができる。
【００３５】
図７に示す第４実施例では、ＡＣアダプタ１２側，ＵＳＢバス１３側共に、電源スイッチ回路１４，１７よりＦＥＴ２３を削除してＦＥＴ２２のみとした構成である。斯様な構成の場合は、第３実施例と同様の電圧条件が必要であり、供給する側の電源のＦＥＴ２２を択一的にＯＮすれば良い。即ち、第３実施例に加えて、ＡＣアダプタ電源を供給する場合も、寄生ダイオード２２Ｄを短絡して電圧降下を回避することができる。
【００３６】
図８に示す第５実施例は、ＡＣアダプタ電源側の電源スイッチ回路（第２スイッチ回路，スイッチ手段）４２を示すものである。電源スイッチ回路４２は、電源線に挿入されるダイオード４３及びＰＮＰトランジスタ４４と、第１実施例の抵抗２５及びトランジスタ２６で構成されている。この場合、ＵＳＢ電源側については、第１，第３実施例の何れの構成を採用しても良いが、第３実施例のようにＦＥＴ２２のみの場合は、ダイオード２２Ｄ及び４３の順方向電圧が等しく、トランジスタ４４がＯＮした場合のエミッタ−コレクタ間電圧をＶCEとすれば、
（ＡＣアダプタ電源電圧）−ＶCE＞（ＵＳＢバス電源電圧）
という条件が成立する必要がある。そして、充電器２にＡＣアダプタ１２及びＵＳＢバス１３の双方が接続されている場合は、ＵＳＢバス電源側をＯＦＦしてトランジスタ４４をＯＮすれば、ＡＣアダプタ電源のみを給電点１５に供給することができる。また、充電器２にＵＳＢバス１３だけが接続されている場合は、ＵＳＢバス電源側をＯＮしてトランジスタ４４をＯＦＦすれば、ＵＳＢバス電源を給電点１５に供給することができる。
この場合、トランジスタ４４のＯＮ時においても、ＡＣアダプタ電源電圧はダイオード４３の順方向電圧による電圧降下が生じるが、ＡＣアダプタについての電源電圧設定は任意であるから、その電圧降下分を考慮して設定を行えば良い。
【００３７】
本発明は上記し又は図面に記載した実施例にのみ限定されるものではなく、以下のような変形が可能である。
ＢＨＴ３と充電器２との間で行う通信は、その他、無線ＬＡＮやBluetooth，或いは電磁信号などの空中伝搬信号を用いて行っても良い。
充電器が備えるＵＳＢインターフェイスは、必ずしも外部との通信を行う必要は無く、ＵＳＢバスを介して充電用の電源供給を受けるだけでも良い。その場合、充電器における電源選択手段は、ハードウエアのみによって構成可能である。
携帯情報端末機はＢＨＴ３に限ることなく、小型のパーソナルコンピュータやＰＤＡ（Personal Digital Assistants），携帯電話機などであっても良い。
【図面の簡単な説明】
【００３８】
【図１】本発明をバーコードハンディターミナルに適用した場合の第１実施例であり、充電システムの電気的構成を示す機能ブロック図
【図２】電源スイッチ回路の具体的な回路構成を示す図
【図３】定電流制御回路の詳細な電気的構成を示す図
【図４】充電器側のＣＰＵによって行われる制御内容を示すフローチャート
【図５】本発明の第２実施例を示す図２相当図
【図６】本発明の第３実施例を示す図２相当図
【図７】本発明の第４実施例を示す図２相当図
【図８】本発明の第５実施例を示す図２相当図（ＡＣアダプタ電源側のみ）
【符号の説明】
【００３９】
図面中、１は充電システム、２は充電器、３はバーコードハンディターミナル（携帯情報端末機）、４は二次電池、５は充電制御回路（第２充電制御手段）、１１は光通信インターフェイス（通信手段）、１２はＡＣアダプタ、１３はＵＳＢバス、１４はアダプタ側電源スイッチ回路（第２スイッチ回路，スイッチ手段）、１５は給電点、１６は定電流制御回路（第２充電制御手段）、１７はＵＳＢ側電源スイッチ回路（第１スイッチ回路，スイッチ手段，充電停止手段）、１８はＣＰＵ（電力検出手段，電源選択手段，充電停止手段）、１９は通信インターフェイス部（通信インターフェイス手段）、２０は光通信インターフェイス（通信手段）、２１はＵＳＢインターフェイス（ＵＳＢデバイス）、２２，２３はＰチャネルＭＯＳＦＥＴ、２２Ｄ，２３Ｄは寄生ダイオード（逆流防止回路素子）、４１はダイオード（第１逆流防止回路素子）、４２は電源スイッチ回路（第２スイッチ回路，スイッチ手段）を示す。
【図１】
2006296126.tif 000003
【図２】
2006296126.tif 000004
【図３】
2006296126.tif 000005
【図４】
2006296126.tif 000006
【図５】
2006296126.tif 000007
【図６】
2006296126.tif 000008
【図７】
2006296126.tif 000009
【図８】
2006296126.tif 000010